(57)【要約】【課題】本発明は、画像等を表示する表示装置に関し、良好な表示品質の得られる表示装置を提供することを目的とする。【解決手段】画像等を表示する表示素子の後方に配置されたバックライトユニットの後方に配置された背面板７と、背面板７の裏面に凸状に形成された凸状ねじ部１７と、凸状ねじ部１７を包含する空間部１５ａと空間部１５ａに通じる貫通部１５ｂとを備えた取付穴部１５が形成された放熱フィン１０と、取付穴部１５の貫通穴１５ｂを通って凸状ねじ部１７と螺合して、放熱フィン１０を背面板７に固定する固定用ねじ部１１とを有するように構成する。【選択図】図３
2006276418.tif 000002
【特許請求の範囲】
【請求項１】
画像等を表示する表示素子と、
前記表示素子の後方に配置され、前記表示素子へ光を射出する面照明装置と、
前記面照明装置の後方に配置された背面板と、
前記背面板の前記面照明装置との対向面から裏面側に向かって凸状に形成された凸状ねじ部と、
前記面照明装置で発生した熱を外部に逃がす放熱フィンと、
前記放熱フィンに形成され、前記凸状ねじ部を包含する空間部と前記空間部に通じる貫通部とを備えた取付穴部と、
前記取付穴部の貫通穴を通って前記凸状ねじ部と螺合して、前記放熱フィンを前記背面板に固定する固定用ねじ部と
を有することを特徴とする表示装置。
【請求項２】
請求項１記載の表示装置において、
前記取付穴部の前記空間部内壁は、前記凸状ねじ部の外壁輪郭に概ね倣うように形成されていること
を特徴とする表示装置。
【請求項３】
請求項２記載の表示装置において、
前記取付穴部の前記貫通部の幅は、前記空間部より狭いこと
を特徴とする表示装置。
【発明の詳細な説明】
【技術分野】
【０００１】
本発明は、画像等を表示する表示装置に関する。
【背景技術】
【０００２】
液晶表示装置などの非自発光型表示装置では、液晶表示パネルなどの表示素子の後方にバックライトユニットと呼ばれる面照明装置が配置されている。バックライトユニットは直下型とサイドライト型（エッジライト型）に分かれ、このうちサイドライト型のバックライトユニットは発光部（光源）、導光板、反射シート、拡散シートなどからなる。バックライトユニットの後方には背面板が配置されている。背面板の後方には、バックライトユニットで発生した熱を表示装置の外部に逃がすための放熱フィンがねじ止めで背面板に実装されている。
【０００３】
ねじ止め用のねじが反射シートなどのバックライトユニットの光学部品と接触した場合、バックライトユニットの発光面から見た場合にその接触部が影やむら状になりバックライトユニットの品質を低下させてしまう。ねじが反射シートに接触しないように、背面板は絞り加工等でバックライトユニットと対向する面の反対方向、すなわち放熱フィンと対向する方向に盛り上げられている。
【０００４】
図５は従来の表示装置の背面板の構成を示す斜視図である。平面形状の背面板１０７は、絞り加工によって背面板１０７の一部が盛り上げられ形成された絞り加工部１１２を有している。絞り加工部１１２には複数のねじ穴１１７が形成されている。
【０００５】
図６は従来の表示装置の背面板と放熱フィンの接合部の構成を示す断面図である。表示装置には反射シート９と背面板１０７がほぼ密着して配置されている。放熱フィン１１０には放熱フィン１１０を背面板１０７に実装するための取付穴部１１５が形成されている。ねじ１１１が取付穴部１１５を介して背面板１０７の絞り加工部１１２に形成されたねじ穴１１７にねじ込まれ、放熱フィン１１０を背面板１０７に実装している。背面板１０７の一部を絞り加工等によって放熱フィン１１０と対向する方向に盛り上げることによって、ねじ１１１が反射シート９に接触するのを防止している。
【０００６】
【特許文献１】特開２０００−１４８０２８号公報
【発明の開示】
【発明が解決しようとする課題】
【０００７】
しかし、背面板１０７に絞り加工を施した場合には背面板１０７に歪みが生じ、この歪みがバックライトユニット内部の光学部品の組み立てに影響を与え、バックライトユニットも変形してしまう。従って、背面板１０７に絞り加工を施した表示装置ではバックライトユニットの輝度及び輝度の均一性が低下してしまい、良好な表示品質が得られないという問題がある。
【０００８】
また、背面板１０７に絞り加工を施してその一部を放熱フィン１１０と対向する方向に盛り上げるため、放熱フィン１１０と背面板１０７との接触面積が減り放熱フィン１１０の放熱効果が低下するという問題がある。
【０００９】
本発明の目的は、良好な表示品質の得られる表示装置を提供することにある。
【課題を解決するための手段】
【００１０】
上記目的は、画像等を表示する表示素子と、前記表示素子の後方に配置され、前記表示素子へ光を射出する面照明装置と、前記面照明装置の後方に配置された背面板と、前記背面板の前記面照明装置との対向面から裏面側に向かって凸状に形成された凸状ねじ部と、前記面照明装置で発生した熱を外部に逃がす放熱フィンと、前記放熱フィンに形成され、前記凸状ねじ部を包含する空間部と前記空間部に通じる貫通部とを備えた取付穴部と、前記取付穴部の貫通穴を通って前記凸状ねじ部と螺合して、前記放熱フィンを前記背面板に固定する固定用ねじ部とを有することを特徴とする表示装置によって達成される。
【発明の効果】
【００１１】
本発明によれば、良好な表示品質の得られる表示装置を実現できる。
【発明を実施するための最良の形態】
【００１２】
本発明の一実施の形態による表示装置について図１乃至図４を用いて説明する。図１は本実施の形態による表示装置の構成を示す断面図である。表示装置２０は前面に表示素子（例えば、液晶表示パネル）１を有している。表示素子１の後方には第１の光学シート３が配置されている。第１の光学シート３の後方には、第２の光学シート４、導光板５、反射シート９、発光部８を有する面照明装置であるバックライトユニットが配置されている。導光板５は例えば長方形状の平面形状を有し、表示素子１側に光射出面５ａを有している。導光板５の対向する２つの端辺近傍には、例えば発光色の互いに異なる複数のＬＥＤを配列した発光部８が配置されている。光射出面５ａと拡散シート４の間には、所定厚さの気体空間１９が設けられている。導光板５の光射出面５ａの裏面側には散乱ドット等（不図示）が設けられている。また、導光板５の散乱ドット等が設けられた面に対向して反射シート９が配置されている。
【００１３】
発光部８から射出した光は、導光板５に入射して導光板５内を導光し、散乱ドット及び反射シート９によって主に導光板５の光射出面５ａから射出する。光射出面５ａから射出した光は、気体空間１９及び第１及び第２の光学シート３、４を通過して表示素子１に入射する。表示素子１及びバックライトユニットの側面は例えば樹脂製のフレーム６で覆われている。また、側面全面及び前面の周辺部は表示装置カバー２によって覆われている。背面は金属製の背面板７で覆われている。背面板７の後方には放熱フィン１０がねじ止めで背面板７に固定されている。
【００１４】
図２は本実施の形態による表示装置２０の背面板７の構成を示す斜視図である。平面形状の背面板７の複数の所定位置に凸状ねじ部１７が形成されている。凸状ねじ部１７は、バーリング加工により、背面板７のバックライトユニットとの対向面からその裏面側に向かって凸状となるフランジ状に形成されている。凸状ねじ部１７の内周部にはねじ加工が施されて雌ねじ１７ａ（図２では不図示、図３参照）が切られている。
【００１５】
図３は、背面板７に放熱フィン１０を実装した状態で、図２のＡ−Ａ線の位置で切断した部分断面を示している。図３に示すように、放熱フィン１０は、接触平面１０ａを背面板７の裏面に密着させて、バックライトユニット（図３では反射シート９のみを示している）で発生した熱を効率的に空気中に逃がすように背面板７に固定されている。
【００１６】
放熱フィン１０の所定位置には、凸状ねじ部１７を包含する空間部１５ａと空間部１５ａに通じる貫通部１５ｂとを備えた取付穴部１５が形成されている。取付穴部１５の空間部１５ａ内壁は、凸状ねじ部１７の外壁輪郭に概ね倣うように形成されている。図３に示す例では、取付穴部１５の空間部１５ａと貫通部１５ｂとは同一内径の中空円筒状を呈している。当然であるが、空間部１５ａの内径は凸状ねじ部１７の外径より広く、且つ空間部１５ａの深さは凸状ねじ部１７の高さより深く形成されている。
【００１７】
放熱フィン１０の取付穴部１５の貫通部１５ｂを通って固定用ねじ部１１の雄ねじ１１ａと凸状ねじ部１７の雌ねじ１７ａとが螺合して固定用ねじ部１１と凸状ねじ部１７とが締め付けられている。これにより、固定用ねじ部１１のねじ頭部１１ｂ及び付属のワッシャ１１ｃが放熱フィン１０の取付穴部１５周縁外表面に当接して放熱フィン１０を背面板７側に押圧し、放熱フィン１０が背面板７に固定されている。当然であるが、ねじ頭部１１ｂ及び付属のワッシャ１１ｃの外径は空間部１５ａの内径より広く形成されている。また、固定用ねじ部１１に取り付けられたワッシャ１１ｃとねじ先端面１１ｄとの間の距離は、放熱フィン１０の板厚と背面板７の板厚との和より短く形成されている。これにより、放熱フィン１０を背面板７に固定用ねじ部１１で固定しても、ねじ先端面１１ｄがバックライトユニットの最下層である反射シート９に接触することはない。
【００１８】
このように本実施の形態による放熱フィン１０の実装構造によれば、背面板７に絞り加工をしなくても放熱フィン１０を背面板７に固定できるので、絞り加工に起因する背面板７の歪みを防止できる。従って、バックライトユニットの変形を抑えることができ、バックライトユニットの輝度および輝度の均一性の低下を防止することができる。
【００１９】
また、ねじ先端面１１ｄが反射シート９に接触しないので、バックライトユニットの発光面から見たときにねじ先端面１１ｄと反射シート９との接触に起因する影や輝度むらを防止できる。
【００２０】
さらに、凸状ねじ部１７が放熱フィン１０と対向する方向に凸形状なので、凸状ねじ部１７は放熱フィン１０を背面板７に実装する際の位置決めピンの役割も果たすことができ、放熱フィン１０を容易に背面板７に実装することができる。
【００２１】
また、絞り加工が不要になり背面板７の表面が平坦になるので、放熱フィン１０と背面板７の接触面積を増やすことができ、放熱フィン１０の放熱効果を向上させることができる。これらにより、良好な表示品質の得られる表示装置が実現できる。
【００２２】
次に、図４を用いて本実施の形態の変形例について説明する。図４は、背面板７に放熱フィン１０を実装した状態で、図２のＡ−Ａ線の位置で切断した部分断面を示している。本変形例の構成は原則として図３に示した構成と同一の作用機能を奏するので同一の符号を付して詳細な説明は省略する。図４に示す実装構造では、取付穴部１５の空間部１５ａ内径は凸状ねじ部１７の外径より広く、且つ空間部１５ａの深さは凸状ねじ部１７の高さより深く形成されているが、貫通部１５ｂの内径は凸状ねじ部１７の外径と同じかそれより狭く、且つ固定用ねじ部１１の雄ねじ１７ａの形成された胴部外径より広く形成されている。
【００２３】
このように本変形例の放熱フィン１０は、背面板７の凸状ねじ部１７を逃げるように取付穴部１５が形成されているだけでなく、貫通部１５ｂの内径が空間部１５ａより狭く形成してある。これにより、固定用ねじ部１１を貫通部１５ｂに差し込んだ際の隙間が広すぎず適度になるので、図３に示した構成で得られる効果に加えて、ねじ止め作業をさらに容易にすることができるという効果が得られる。
【００２４】
本発明は、上記実施の形態に限らず種々の変形が可能である。
例えば、上記実施の形態では、導光板の端辺近傍に発光部が配置されたサイドライト型のバックライトユニットを用いた表示装置を例に挙げたが、本発明はこれに限らず、直下型のバックライトユニットを用いた表示装置にも応用できる。
【００２５】
また、上記実施の形態では、バーリング加工を用いて凸状空隙を形成し、当該空隙に雌ねじを切った凸状ねじ部を例にとって説明したが、本発明はこれに限られない。例えば、バーリング加工に代わる方法で背面板裏面側に凸状部を形成し、当該凸状部外周に雄ねじを切って凸状ねじ部とし、固定用ねじ部に雌ねじを切って両者を締結する方式を採用してももちろんよい。
【００２６】
以上説明した本実施の形態による表示装置は以下のようにまとめられる。
（付記１）
画像等を表示する表示素子と、
前記表示素子の後方に配置され、前記表示素子へ光を射出する面照明装置と、
前記面照明装置の後方に配置された背面板と、
前記背面板の前記面照明装置との対向面から裏面側に向かって凸状に形成された凸状ねじ部と、
前記面照明装置で発生した熱を外部に逃がす放熱フィンと、
前記放熱フィンに形成され、前記凸状ねじ部を包含する空間部と前記空間部に通じる貫通部とを備えた取付穴部と、
前記取付穴部の貫通穴を通って前記凸状ねじ部と螺合して、前記放熱フィンを前記背面板に固定する固定用ねじ部と
を有することを特徴とする表示装置。
（付記２）
付記１記載の表示装置において、
前記取付穴部の前記空間部内壁は、前記凸状ねじ部の外壁輪郭に概ね倣うように形成されていること
を特徴とする表示装置。
（付記３）
付記２記載の表示装置において、
前記取付穴部の前記貫通部の幅は、前記空間部より狭いこと
を特徴とする表示装置。
【図面の簡単な説明】
【００２７】
【図１】本発明の一実施の形態による表示装置の構成を示す断面図である。
【図２】本発明の一実施の形態による表示装置の背面板の構成を示す斜視図である。
【図３】本発明の一実施の形態による表示装置の背面板に放熱フィンを実装した状態で、図２のＡ−Ａ線の位置で切断した部分断面を示す図である。
【図４】本発明の一実施の形態の変形例ついて説明する図である。
【図５】従来の表示装置の背面板の構成を示す斜視図である
【図６】従来の表示装置の背面板と放熱フィンの接合部の構成を示す断面図である。
【符号の説明】
【００２８】
１  表示素子
２  表示装置カバー
３  第１の光学シート
４  第２の光学シート
５  導光板
５ａ  光射出面
６  フレーム
７  背面板
８  発光部
９  反射シート
１０  放熱フィン
１１  固定用ねじ部
１５  取付穴部
１７  凸状ねじ部
１９  気体空間
２０  表示装置
【図１】
2006276418.tif 000003
【図２】
2006276418.tif 000004
【図３】
2006276418.tif 000005
【図４】
2006276418.tif 000006
【図５】
2006276418.tif 000007
【図６】
2006276418.tif 000008